(57)【特許請求の範囲】
【請求項１】
電子機器であって、
記憶手段と、
前記電子機器に接続されている電力供給装置が電池パックであるかＡＣアダプタであるかを判定する判定手段と、
前記電力供給装置が所定の電池パックであるか否かを判定するための認証処理を行う認証手段と、
所定の情報が前記記憶手段に存在する場合は、前記電力供給装置が所定の電池パックであるか否かの選択をユーザに促すことなく、ユーザによる前記電力供給装置の使用を許容する制御手段と
を有し、
前記制御手段は、
前記電力供給装置がＡＣアダプタであると判定された場合は、前記認証手段に前記認証処理を行わせないようにし、
所定の情報が前記記憶手段に存在しない場合であって、前記電力供給装置が電池パックであると判定された場合は、前記認証手段に前記認証処理を行わせ、
所定の情報が前記記憶手段に存在しない場合であって、前記電力供給装置が電池パックである場合に、前記電力供給装置が所定の電池パックでないと判定された場合は、前記電力供給装置が所定の電池パックであるか否かの選択をユーザに促すための制御を行い、
前記電力供給装置が所定の電池パックであるか否かの選択をユーザに促した後に、前記電力供給装置が所定の電池パックであることが選択された場合は、シャットダウン処理を許容し、
前記電力供給装置が所定の電池パックであるか否かの選択をユーザに促した後に、前記電力供給装置が所定の電池パックでないことが選択された場合は、前記電力供給装置を使用したいか否かの選択をユーザに促すための制御を行い、
前記電力供給装置を使用したいか否かの選択をユーザに促した後に、前記電力供給装置を使用したいことが選択された場合は、所定の情報を前記記憶手段に格納するための制御を行う
ことを特徴とする電子機器。
【請求項２】
前記制御手段は、所定の情報が前記記憶手段に存在する場合は、前記電力供給装置が所定の電池パックであるか否かの判定を行うことなく、ユーザによる前記電力供給装置の使用を許容することを特徴とする請求項１に記載の電子機器。
【請求項３】
前記制御手段は、所定の情報が前記記憶手段に存在しない場合であって、前記電力供給装置がＡＣアダプタである場合は、前記電力供給装置が所定の電池パックであるか否かの選択をユーザに促すことなく、ユーザによる前記電力供給装置の使用を許容することを特徴とする請求項１または２に記載の電子機器。
【請求項４】
前記電力供給装置が電池パックであるかＡＣアダプタであるかは、前記電力供給装置から供給される電圧に基づいて判定されることを特徴とする請求項１から３のいずれか１項に記載の電子機器。
【請求項５】
前記制御手段は、所定の情報が前記記憶手段に存在しない場合であって、前記電力供給装置が電池パックである場合に、前記電力供給装置が所定の電池パックであると判定された場合は、所定の情報を前記記憶手段に格納するための制御を行うことを特徴とする請求項１から４のいずれか１項に記載の電子機器。
【請求項６】
前記電力供給装置が前記電子機器から取り外される場合、所定の情報は前記記憶手段から取り除かれることを特徴とする請求項１から５のいずれか１項に記載の電子機器。
【請求項７】
電子機器の制御方法であって、
前記電子機器に接続されている電力供給装置が電池パックであるかＡＣアダプタであるかを判定するステップと、
前記電力供給装置がＡＣアダプタであると判定された場合は、前記電力供給装置が所定の電池パックであるか否かを判定するための認証処理を行う認証手段に前記認証処理を行わせないようにするステップと、
所定の情報が記憶手段に存在する場合は、前記電子機器に接続されている電力供給装置が所定の電池パックであるか否かの選択をユーザに促すことなく、ユーザによる前記電力供給装置の使用を許容するステップと、
所定の情報が前記記憶手段に存在しない場合であって、前記電力供給装置が電池パックであると判定された場合は、前記認証手段に前記認証処理を行わせるステップと、
所定の情報が前記記憶手段に存在しない場合であって、前記電力供給装置が電池パックである場合に、前記電力供給装置が所定の電池パックでないと判定された場合は、前記電力供給装置が所定の電池パックであるか否かの選択をユーザに促すための制御を行うステップと、
前記電力供給装置が所定の電池パックであるか否かの選択をユーザに促した後に、前記電力供給装置が所定の電池パックであることが選択された場合は、シャットダウン処理を許容するステップと、
前記電力供給装置が所定の電池パックであるか否かの選択をユーザに促した後に、前記電力供給装置が所定の電池パックでないことが選択された場合は、前記電力供給装置を使用したいか否かの選択をユーザに促すための制御を行うステップと、
前記電力供給装置を使用したいか否かの選択をユーザに促した後に、前記電力供給装置を使用したいことが選択された場合は、所定の情報を前記記憶手段に格納するための制御を行うステップと
を有することを特徴とする制御方法。
【請求項８】
所定の情報が前記記憶手段に存在する場合は、前記電力供給装置が所定の電池パックであるか否かの判定を行うことなく、ユーザによる前記電力供給装置の使用を許容することを特徴とする請求項７に記載の制御方法。
【請求項９】
所定の情報が前記記憶手段に存在しない場合であって、前記電力供給装置がＡＣアダプタである場合は、前記電力供給装置が所定の電池パックであるか否かの選択をユーザに促すことなく、ユーザによる前記電力供給装置の使用を許容するステップをさらに有することを特徴とする請求項７または８に記載の制御方法。
【請求項１０】
前記電力供給装置が電池パックであるかＡＣアダプタであるかは、前記電力供給装置から供給される電圧に基づいて判定されることを特徴とする請求項７から９のいずれか１項に記載の制御方法。
【請求項１１】
所定の情報が前記記憶手段に存在しない場合であって、前記電力供給装置が電池パックである場合に、前記電力供給装置が所定の電池パックであると判定された場合は、所定の情報を前記記憶手段に格納するための制御を行うステップをさらに有することを特徴とする請求項７から１０のいずれか１項に記載の制御方法。
【請求項１２】
前記電力供給装置が前記電子機器から取り外される場合、所定の情報は前記記憶手段から取り除かれることを特徴とする請求項７から１１のいずれか１項に記載の制御方法。
【請求項１３】
電子機器のコンピュータに、
前記電子機器に接続されている電力供給装置が電池パックであるかＡＣアダプタであるかを判定するステップと、
前記電力供給装置がＡＣアダプタであると判定された場合は、前記電力供給装置が所定の電池パックであるか否かを判定するための認証処理を行う認証手段に前記認証処理を行わせないようにするステップと、
所定の情報が記憶手段に存在する場合は、前記電子機器に接続されている電力供給装置が所定の電池パックであるか否かの選択をユーザに促すことなく、ユーザによる前記電力供給装置の使用を許容するステップと、
所定の情報が前記記憶手段に存在しない場合であって、前記電力供給装置が電池パックであると判定された場合は、前記認証手段に前記認証処理を行わせるステップと、
所定の情報が前記記憶手段に存在しない場合であって、前記電力供給装置が電池パックである場合に、前記電力供給装置が所定の電池パックでないと判定された場合は、前記電力供給装置が所定の電池パックであるか否かの選択をユーザに促すための制御を行うステップと、
前記電力供給装置が所定の電池パックであるか否かの選択をユーザに促した後に、前記電力供給装置が所定の電池パックであることが選択された場合は、シャットダウン処理を許容するステップと、
前記電力供給装置が所定の電池パックであるか否かの選択をユーザに促した後に、前記電力供給装置が所定の電池パックでないことが選択された場合は、前記電力供給装置を使用したいか否かの選択をユーザに促すための制御を行うステップと、
前記電力供給装置を使用したいか否かの選択をユーザに促した後に、前記電力供給装置を使用したいことが選択された場合は、所定の情報を前記記憶手段に格納するための制御を行うステップと
を実行させるためのプログラム。
【発明の詳細な説明】
【技術分野】
【０００１】
本発明は、電子機器、制御方法およびプログラムに関するものである。
【背景技術】
【０００２】
電子機器に電力の供給を行う電力供給装置として、充電可能な電池を有する電池パックがある。電池パックで動作可能な電子機器では、非正規の電池パックの使用による安全性の低下が問題となっている。非正規の電池パックとは、電子機器のメーカ又はサードパーティによって製造された電池パックであるかのように偽った違法な電池パックである。正規の電池パックは、一定の品質基準を満たした保護機構（ヒューズなど）又は制御回路を有しており、高い安全性を有している。しかしながら、非正規の電池パックは、そのような保護機構又は制御回路を有していないものが多い。そのため、非正規の電池パックを使用すると、電子機器が正常に動作しない場合があるだけでなく、電子機器の安全性が低下するおそれがあるという問題がある。
【先行技術文献】
【特許文献】
【０００３】
【特許文献１】特開２００７−２８２４７１号公報
【発明の概要】
【発明が解決しようとする課題】
【０００４】
特許文献１には、電池パックが正規の電池パックであるか否かを判定することができる電子機器が開示されている。
【０００５】
特許文献１に開示されている電子機器は、電子機器が電源オン状態にされるたびに電池パックの認証を行うように構成されている。そのため、電子機器に接続されている電池パックがサードパーティ製の電池パックである場合は、電子機器が電源オン状態にされるたびに、電子機器に接続されている電池パックが正規の電池パックであるか否かの問い合わせをユーザに行う必要がある。ユーザは、その問い合せに対して応答する必要があり、ユーザの利便性が低下するという問題がある。
【０００６】
さらに、特許文献１に開示されている電子機器は、電力供給装置として電池パックのみを想定している。そのため、電池パックと略同一形状のＡＣアダプタを電子機器に接続した場合は、ＡＣアダプタが正規のＡＣアダプタであっても、ＡＣアダプタを非正規の電池パックと判定してしまう。そのため、ユーザは、ＡＣアダプタが正規のＡＣアダプタであっても、正規か否かの問い合わせを経なければそのＡＣアダプタを使用することができず、ユーザの利便性が低下するという問題がある。
【０００７】
そこで、本発明は、電力供給装置から供給される電力で動作する電子機器におけるユーザの利便性を向上させることを目的とする。
【課題を解決するための手段】
【０００８】
本発明に係る電子機器は、電子機器であって、記憶手段と、前記電子機器に接続されている電力供給装置が電池パックであるかＡＣアダプタであるかを判定する判定手段と、前記電力供給装置が所定の電池パックであるか否かを判定するための認証処理を行う認証手段と、所定の情報が前記記憶手段に存在する場合は、前記電力供給装置が所定の電池パックであるか否かの選択をユーザに促すことなく、ユーザによる前記電力供給装置の使用を許容する制御手段とを有し、前記制御手段は、前記電力供給装置がＡＣアダプタであると判定された場合は、前記認証手段に前記認証処理を行わせないようにし、所定の情報が前記記憶手段に存在しない場合であって、前記電力供給装置が電池パックであると判定された場合は、前記認証手段に前記認証処理を行わせ、所定の情報が前記記憶手段に存在しない場合であって、前記電力供給装置が電池パックである場合に、前記電力供給装置が所定の電池パックでないと判定された場合は、前記電力供給装置が所定の電池パックであるか否かの選択をユーザに促すための制御を行い、前記電力供給装置が所定の電池パックであるか否かの選択をユーザに促した後に、前記電力供給装置が所定の電池パックであることが選択された場合は、シャットダウン処理を許容し、前記電力供給装置が所定の電池パックであるか否かの選択をユーザに促した後に、前記電力供給装置が所定の電池パックでないことが選択された場合は、前記電力供給装置を使用したいか否かの選択をユーザに促すための制御を行い、
前記電力供給装置を使用したいか否かの選択をユーザに促した後に、前記電力供給装置を使用したいことが選択された場合は、所定の情報を前記記憶手段に格納するための制御を行う。
【発明の効果】
【０００９】
本発明によれば、電力供給装置から供給される電力で動作する電子機器におけるユーザの利便性を向上させることができる。
【図面の簡単な説明】
【００１０】
【図１Ａ】実施形態１における電子機器１００の外観の一例を示す図である。
【図１Ｂ】実施形態１における電子機器１００の外観の一例を示す図である。
【図２】実施形態１における電子機器１００が有する複数の構成要素の一例を示すブロック図である。
【図３】電力供給装置１０６の一例である電池パック３０１およびＡＣアダプタ３０５を示す図である。
【図４】実施形態１における電力供給装置１０６の放電時間に対する出力電圧の遷移の一例を示す図である。
【図５】実施形態１における電子機器１００で行われる第１の電池認証処理の一例を示すフローチャートである。
【図６】実施形態２における電子機器１００が有する複数の構成要素の一例を示すブロック図である。
【図７】実施形態２における給電制御部６０１の放電時間に対する出力電圧の遷移の一例を示す図である。
【図８】実施形態２における電子機器１００で行われる第２の電池認証処理の一例を示すフローチャートである。
【発明を実施するための形態】
【００１１】
以下、図面を参照して本発明の実施形態を説明する。ただし、本発明は以下の実施形態に限定されるものではない。
【００１２】
［実施形態１］
図１Ａ及び図１Ｂは、実施形態１における電子機器１００の外観の一例を示す図である。図１Ａは、電子機器１００を正面から見た図であり、図１Ｂは、電子機器１００を裏面から見た図である。実施形態１では、電子機器１００が例えばデジタルカメラとして動作する撮像装置である場合を説明するが、電子機器１００はデジタルカメラに限るものではない。電子機器１００は、例えば、携帯端末、携帯電話、ノートＰＣであってもよい。
【００１３】
撮像光学系１０１は、撮像レンズ及びシャッターを含み、光学像を撮像素子（ＣＣＤセンサなど）の受光面上に結像させる。表示部１０２は、例えば液晶表示器等を有し、画像または情報を表示する。表示部１０２に表示される画像または情報は、システム制御部２０７（図２参照）により制御される。シャッターボタン１０３は、ユーザが撮像指示を行うための部材である。指示入力部１０４は、ユーザからの指示を受け付ける各種スイッチ、ボタン、タッチパネル等の部材を含む。電源スイッチ１０５は、ユーザからの指示に応じて、電子機器１００を電源オン状態または電源オフ状態に切り替える。電力供給装置１０６は電子機器１００の装置内の各構成要素に供給される電力を出力するものであり、図３により後述するように、電池パック３０１やＡＣアダプタ３０５などがある。電力供給装置１０６は、電子機器１００から取り外し可能となっている。接続部１０７は、電力供給装置１０６と接続されている場合に、電力供給装置１０６から供給される電力を電子機器１００の各構成要素に供給する。第２の接続部１１１は、実施形態２で使用される構成であり、第１実施形態では省略可能である。第２の接続部１１１の詳細は、実施形態２で説明される。
【００１４】
図２は、実施形態１における電子機器１００が有する複数の構成要素の一例を示すブロック図である。
図２において、撮像レンズ２０１およびシャッター２０２は、撮像光学系１０１に含まれる。撮像部２０３は、撮像素子（ＣＣＤセンサなど）、相関二重サンプリング部、プログラマブル・ゲイン・アンプ部、アナログデジタルコンバータなどを有し、光学像から画像データを生成する。画像処理部２０４は、撮像部２０３で生成された画像データに所定の画像処理を施す。タイミング信号発生部２０５は、撮像部２０３と画像処理部２０４を、それぞれ動作させるための信号を発生する。光学系駆動部２０６は、システム制御部２０７の制御下で、撮像レンズ２０１やシャッター２０２を駆動させる。システム制御部２０７は、電子機器１００が有する各構成要素を制御する。
【００１５】
画像処理部２０４で処理された画像データは、システム制御部２０７を介して、第１のメモリ２０８に書き込まれる。第１のメモリ２０８は、撮像部２０３によって得られ画像処理部２０４によりデジタルデータに変換された画像データや、表示部１０２に表示するための画像データを格納する。第１のメモリ２０８は、所定枚数の静止画像と所定時間の動画像および音声とを格納するのに十分な記憶容量を有している。第１のメモリ２０８は、画像表示用のメモリを兼ねている。システム制御部２０７は、第１のメモリ２０８に格納されている画像表示用のデータに、必要に応じ所定のデータを重畳し、表示部１０２に供給する。こうして、第１のメモリ２０８に書き込まれた表示用の画像データは、液晶ディスプレイ等の表示器を有する表示部１０２により表示される。
【００１６】
第２のメモリ２０９は、電気的に消去、記録可能なメモリであり、例えばＥＥＰＲＯＭ等が用いられる。第２のメモリ２０９には、システム制御部２０７により実行されるプログラム、プログラムを実行する際に使用されるパラメータ及びテーブル等の制御データ、キズアドレス等の補正データが記憶されている。ここでいう、プログラムとは、後述するフローチャートで示される処理をシステム制御部２０７に実行させるためのプログラムを含む。
【００１７】
第１のメモリ２０８は、システム制御部２０７が、電子機器１００が有する各構成要素を制御する際に使用するシステムメモリとしての役割を兼ねている。システムメモリには、例えば、第２のメモリ２０９に記憶されているプログラム、制御データ及び補正データ等がロードされる。例えば、システム制御部２０７の動作が開始された場合において、第２のメモリ２０９から必要なプログラム、制御データ及び補正データ等が第１のメモリ２０８に記憶される。必要に応じて、追加のプログラムやデータが第２のメモリ２０９から第１のメモリ２０８に転送される。
【００１８】
シャッターボタン１０３及び指示入力部１０４は、システム制御部２０７にユーザからの指示を入力するための部材である。シャッターボタン１０３が半押し状態である場合に生じる撮像準備指示信号で、システム制御部２０７は、ＡＦ（オートフォーカス）処理、ＡＥ（自動露出）処理、ＡＷＢ（オートホワイトバランス）処理等を開始する。シャッターボタン１０３が全押し状態である場合に生じる撮像指示信号で、システム制御部２０７は、撮像の開始を撮像部２０３に指示する。撮像部２０３で生成された画像データは、電子機器１００に接続されている記憶媒体に格納される。
【００１９】
電源制御部２１０は、電源スイッチ１０５からの指示信号に基づいて、接続部１０７を介して、電力供給装置１０６からの電力を用いて、システム制御部２０７を含む各構成要素に必要な電力を必要な期間にわたり供給する。電池認証部２１１は、電力供給装置１０６を認証するための認証処理を実行する。電圧検出部２１２は、電力供給装置１０６から供給される電圧を検出し、電圧情報として電圧判定部２１３に提供する。電圧判定部２１３は、電圧検出部２１２より提供された電圧情報が示す電圧と所定の基準電圧とを比較し、電力供給装置１０６が電池パック３０１であるかＡＣアダプタ３０５であるかを判定する。履歴情報記憶部２１４は、電池認証部２１１が実行し、取得した認証結果を履歴情報として記憶する。履歴情報記憶部２１４は、電源制御部２１０の状態（電源オン状態または電源オフ状態）に関わらず、電力供給装置１０６から供給される電力で動作することができる。例えば、実施形態１では、履歴情報記憶部２１４には、電力供給装置１０６からの電力が電源制御部２１０を介さずに供給されている。したがって、履歴情報記憶部２１４は、電源スイッチ１０５がオン状態であるかオフ状態であるかに関わらず、電力供給装置１０６から電力が供給される限り履歴情報を記憶する。さらに、例えば、電力供給装置１０６が電子機器１００から取り外されたことにより、履歴情報記憶部２１４への電力供給が途絶えると、履歴情報記憶部２１４に格納されていた履歴情報は消去される。
【００２０】
図３は、電力供給装置１０６の一例である電池パック３０１およびＡＣアダプタ３０５を示す図である。
電池パック３０１およびＡＣアダプタ３０５はいずれも、電力供給装置１０６として接続部１０７に接続可能である。電子機器１００は、接続部１０７に接続された電池パック３０１からの電力を受けて動作することができる。さらに、電子機器１００は、接続部１０７に接続されたＡＣアダプタ３０５からの電力を受けて動作することができる。ＡＣアダプタ３０５は、外部電源（商用電源など）からの電力を電子機器１００に電力を供給することができるように構成されている。ＡＣアダプタ３０５の形状は、電池パック３０１の形状と略同一である。
【００２１】
電池パック３０１は、電源制御部２１０および履歴情報記憶部２１４への給電用の正極端子３０２および負極端子３０４を有する。さらに、電池パック３０１は、電池認証部２１１との通信に用いられる通信端子３０３を有する。正極端子３０２は接続部１０７の正極端子と接続され、負極端子３０４は接続部１０７の負極端子と接続され、通信端子３０３は接続部１０７の通信端子と接続される。
【００２２】
ＡＣアダプタ３０５は、電源制御部２１０および履歴情報記憶部２１４への給電用の正極端子３０６および負極端子３０７を有する。さらに、ＡＣアダプタ３０５は、交流電力を所定の直流電力に変換するＡＣ−ＤＣ変換器３０９とＤＣケーブル３１０を介して接続される。ＡＣ−ＤＣ変換器３０９は、外部電源とＡＣケーブル３０８を介して接続される。正極端子３０６は接続部１０７の正極端子と接続され、負極端子３０７は接続部１０７の負極端子と接続される。
【００２３】
図４は、実施形態１における電力供給装置１０６の放電時間に対する出力電圧の遷移の一例を示す図である。
図４には、電池パック３０１の負極端子３０４に対する正極端子３０２の出力電圧４０１、ＡＣアダプタ３０５の負極端子３０７に対する正極端子３０６の出力電圧４０２が示されている。さらに、図４には、電圧判定部２１３が参照する基準電圧４０３が示されている。
【００２４】
負極端子３０７に対する正極端子３０６の電圧であるＡＣアダプタ３０５の出力電圧４０２は、略一定、例えば４．５Ｖである。一方、電池パック３０１の負極端子３０４に対する正極端子３０２の電圧である電池パック３０１の出力電圧４０１は、放電による蓄電容量の減少に伴い低下する。ここで、電池パック３０１の出力電圧４０１は、放電電流値や温度等により変化するが、一般的に４．２Ｖを上回ることはない。従って、ＡＣアダプタ３０５の出力電圧より低く、電池パック３０１の最大の出力電圧よりも高い電圧、例えば４．４Ｖを基準電圧４０３とする。電圧判定部２１３は、電力供給装置１０６から供給される電圧をこの基準電圧と比較することにより、接続部１０７に接続されている電力供給装置１０６が電池パック３０１及びＡＣアダプタ３０５のいずれであるかを判定することができる。
【００２５】
図５は、実施形態１における電子機器１００で行われる第１の電池認証処理の一例を示すフローチャートである。第１の電池認証処理は、電力供給装置１０６が接続部１０７に接続されている場合に、電源スイッチ１０５がオン状態にされた場合に開始される。
【００２６】
図５において、電源スイッチ１０５へのユーザによる電源オン指示に従い、電源制御部２１０は、接続部１０７を介して電力供給装置１０６から供給された電力を用いて、システム制御部２０７を含む各構成要素への電力供給を開始する（Ｓ５０１）。システム制御部２０７は、履歴情報記憶部２１４が記憶している電池認証の履歴情報を参照して、電池認証済みであるか否かを確認する（Ｓ５０２）。ここで、履歴情報記憶部２１４は、電源制御部２１０の状態に関わらず、電力供給装置１０６から供給される電力で動作している。そのため、履歴情報記憶部２１４は、電源スイッチ１０５がオン状態であるかオフ状態であるかに関わらず、電力供給装置１０６が接続部１０７に接続されて電力が供給されている間、電池認証の履歴情報を記憶する。さらに、電力供給装置１０６が取り外されたりして、履歴情報記憶部２１４への電力供給が途絶えると、履歴情報記憶部２１４に記憶された履歴情報は消滅する。
【００２７】
システム制御部２０７は、履歴情報記憶部２１４に電池認証の履歴情報が履歴情報記憶部２１４に記憶されている場合（Ｓ５０３でＹＥＳ）、電力供給装置１０６について電池認証済みと判定し、所定の起動処理を継続する（Ｓ５０４）。
【００２８】
一方、システム制御部２０７は、電池認証の履歴情報がない場合（Ｓ５０３でＮＯ）、電圧検出部２１２に対し、電力供給装置１０６から供給される電圧を検出するように指示する。この指示を受けた電圧検出部２１２は、電力供給装置１０６から供給されている電圧を検出し（Ｓ５０５）、検出した電圧を電圧情報として電圧判定部２１３に知らせる。電圧判定部２１３は、電圧検出部２１２から提供された電圧情報が示す電圧と基準電圧４０３とを比較し、システム制御部２０７にその比較結果を知らせる。システム制御部２０７は、電圧情報により示される電圧が基準電圧以上の場合（Ｓ５０６でＹＥＳ）、接続部１０７に接続されている電力供給装置１０６はＡＣアダプタ３０５であると判定し、所定の起動処理を継続する（Ｓ５０４）。
【００２９】
一方、システム制御部２０７は、電圧情報によって示される電圧が基準電圧より低い場合（Ｓ５０６でＮＯ）、接続部１０７に接続されている電力供給装置１０６は電池パック３０１であると判定する。この場合、システム制御部２０７は、電池認証部２１１に対して電力供給装置１０６の電池認証を実行するよう指示する。指示を受けた電池認証部２１１は、電力供給装置１０６の電池認証を実行し（Ｓ５０７）、その認証結果をシステム制御部２０７に知らせる。電池認証に成功した場合（Ｓ５０８でＹＥＳ）、システム制御部２０７は、電池認証済みであることを示す履歴情報を履歴情報記憶部２１４に格納し（Ｓ５１５）、所定の起動処理を継続する（Ｓ５０４）。
【００３０】
システム制御部２０７は、電池認証に失敗した場合（Ｓ５０８でＮＯ）には、ユーザに電力供給装置１０６の使用の可否を選択させる。但し、実施形態１では、電池認証に失敗した場合であって、接続部１０７に接続されている電力供給装置１０６が正規の電池パックでないことをユーザが認識できていると判定された場合には、その使用の可否を選択させる。他方、電池認証に失敗したにも関わらず、接続部１０７に接続されている電力供給装置１０６が正規の電池パックでないことをユーザが認識できていないと判定された場合には、システム制御部２０７は、電子機器１００を電源オフ状態に移行させる。以下、Ｓ５０７で実行された電池認証に失敗した場合（Ｓ５０８でＮＯであった場合）の処理について詳細に説明する。
【００３１】
システム制御部２０７は、認証に失敗した場合に、例えば「正規の電池パックをお使いですか？」といったメッセージを表示部１０２に表示し、指示入力部１０４から「ＹＥＳ」または「ＮＯ」を入力することをユーザに促す（Ｓ５０９）。指示入力部１０４を介してユーザが「ＹＥＳ」と応答した場合は（Ｓ５１０でＹＥＳ）、ユーザは接続部１０７に接続した電力供給装置１０６が正規の電池パックであると認識しており、以下の（１）及び（２）のいずれかに該当することになる。
（１）接続部１０７に接続した電力供給装置１０６は正規の電池パックであるが、故障等何らかの要因によって正常に認証ができなかった。
（２）接続部１０７に接続した電力供給装置１０６は、正規の電池パックを偽った非正規の電池パックであり、ユーザが正規の電池パックと誤認している。
【００３２】
上記の（１）及び（２）のいずれであっても、接続部１０７に接続されている電力供給装置１０６を使用して電子機器１００の動作を継続させると、安全性が低下する恐れがある。したがって、その旨をユーザに通知するため、システム制御部２０７は、例えば「電池異常を検出しました。メーカにご連絡ください。安全のため電源をＯＦＦします。」といったメッセージを表示部１０２に表示する（Ｓ５１１）。そして、システム制御部２０７は、電子機器１００をシャットダウンする（Ｓ５１２）。
【００３３】
一方、Ｓ５１０において、ユーザが接続部１０７に接続した電力供給装置１０６は正規の電池パックでないと認識しており、指示入力部１０４を介して「ＮＯ」と入力した場合は（Ｓ５１０でＮＯ）、以下の（３）及び（４）のいずれかに該当することになる。
（３）接続部１０７に接続されている電力供給装置１０６が正規の電池パックではないことをユーザは把握しているが、その品質または安全性に不安がある。
（４）サードパーティ製の電池パックである。
【００３４】
サードパーティ製の電池パックは、その放電特性が不明である。したがって、その旨をユーザに通知するため、システム制御部２０７は、例えば「ご使用を続けますか？」といったメッセージを表示部１０２に表示し、指示入力部１０４から「ＹＥＳ」または「ＮＯ」を入力することをユーザに促す（Ｓ５１３）。ここで、ユーザが指示入力部１０４を介して「ＹＥＳ」と入力した場合は（Ｓ５１４でＹＥＳ）、システム制御部２０７は、ユーザが使用することを選択したものと判定し、電池認証済みであることを示す履歴情報を履歴情報記憶部２１４に格納する（Ｓ５１６）。そして、システム制御部２０７は、所定の起動処理を継続する（Ｓ５０４）。こうして、接続部１０７に接続されている電力供給装置１０６の使用がユーザによって許可される。一方、ユーザが指示入力部１０４を介して「ＮＯ」と入力した場合は（Ｓ５１４でＮＯ）、システム制御部２０７は、電子機器１００をシャットダウンする（Ｓ５１２）。
【００３５】
図５において、Ｓ５０７で電池認証に成功した場合（Ｓ５０８でＹＥＳ）、もしくは、Ｓ５１３でユーザが指示入力部１０４を介して「ＹＥＳ」と入力した場合（Ｓ５１４でＹＥＳ）、のどちらかで電池認証の履歴情報が履歴情報記憶部２１４に格納される。他方、Ｓ５０９でユーザが指示入力部１０４を介して「ＹＥＳ」と入力した場合（Ｓ５１０でＹＥＳ）、もしくは、Ｓ５１３でユーザが指示入力部１０４を介して「ＮＯ」と入力した場合（Ｓ５１４でＮＯ）は、電池認証の履歴情報は履歴情報記憶部２１４には格納されない。上述のように、履歴情報記憶部２１４は、電源制御部２１０の状態に関わらず、電力供給装置１０６から供給される電圧で動作している。そのため、電力供給装置１０６が接続部１０７から外された場合、すなわち、電力供給装置１０６が交換された場合などでは、履歴情報記憶部２１４の履歴情報はクリアされる。システム制御部２０７は、履歴情報記憶部２１４に電池認証の履歴情報が記憶されているか否かで、電力供給装置１０６が認証済みか否かを判定する。このような制御により、認証済みの電池パック３０１が取り外されない限り、電源スイッチ１０５がオン状態するたびに電池認証を実行することや、認証結果に応じたメッセージの表示を行わないようにすることができる。さらに、接続部１０７に接続されている電力供給装置１０６がＡＣアダプタ３０５である場合には、電池認証に失敗した旨の表示（Ｓ５１０）や、その後の指示入力をユーザに要求すること（Ｓ５１１〜Ｓ５１４）はしない。したがって、ユーザは、一度使用を承認したにもかかわらず、電源スイッチ１０５がオン状態にされるたびに認証の問い合わせを受けるということがなくなり、利便性が向上する。
【００３６】
なお、負極端子３０７に対する正極端子３０６であるＡＣアダプタ３０５の出力電圧は一定であるが、接続部１０７との接触抵抗と動作電流による電圧低下で、電圧検出部２１２が取得する電圧情報が基準電圧を下回る場合がある。したがって、電圧検出部２１２が、電力供給装置１０６から供給される電圧を示す電圧情報を取得するまでは、撮像部２０３や光学系駆動部２０６の動作を開始しないのが望ましい。
【００３７】
このように、電子機器１００においては、電力供給装置１０６の素性を適切に判定し、その電力供給装置１０６の素性に応じた制御を行うことができる。これにより、電子機器１００の安全性を確保しつつ、ユーザの利便性を向上させることができる。
【００３８】
［実施形態２］
次に、実施形態２について説明する。実施形態２においても、電子機器１００としてデジタルカメラを例示する。電子機器１００の外観は、図１Ａ、図１Ｂに示したとおりである。なお、図１Ｂにおいて、第２の接続部１１１は外部装置との接続を行うインターフェースである。第２の接続部１１１は、例えば、ＵＳＢ（Ｕｎｉｖｅｒｓａｌ  Ｓｅｒｉａｌ  Ｂｕｓ）ケーブルを接続することができ、外部装置から供給される電力を受電することができる。
【００３９】
図６は、実施形態２における電子機器１００が有する複数の構成要素の一例を示すブロック図である。図６において、実施形態１における電子機器１００が有する構成要素（図２参照）と同様の構成要素については、実施形態１と同一の参照番号が付されている。図６において、給電制御部６０１は、接続部１０７に接続された電力供給装置１０６から供給される電力と、第２の接続部１１１に接続された外部装置から供給される電力とを電源制御部２１０に供給することができる。
【００４０】
実施形態２において、給電制御部６０１は、外部装置から供給される電力を電力供給装置１０６から供給される電力に優先して電源制御部２１０に供給する。外部装置からの供給電力が不足する場合、給電制御部６０１は、外部装置からの供給電力と電力供給装置１０６からの供給電力とを電源制御部２１０に供給する。さらに、給電制御部６０１は、第２の接続部１１１に外部装置が接続されていない場合、電力供給装置１０６からの供給電力を電源制御部２１０に供給する。さらに、給電制御部６０１は、第２の接続部１１１に外部装置が接続されていても、システム制御部２０７の指示に応じて、外部装置からの給電を停止し、電力供給装置１０６からの供給電力を電源制御部２１０に供給することができる。ここで、給電制御部６０１には、外部装置からの入力に対し、レギュレータが構成されており、例えば、外部装置から５．０Ｖの電圧が入力されると、４．５Ｖの電圧で電源制御部２１０に供給する。さらに、電力供給装置１０６からの入力に対しては、そのままの電圧で出力される。なお、システム制御部２０７は、給電制御部６０１に対する指示が可能である以外は、図２に示したシステム制御部２０７と同様の構成である。
【００４１】
図７は、実施形態２における給電制御部６０１の放電時間に対する出力電圧の遷移の一例を示す図である。図７では、電力供給装置１０６として電池パック３０１が接続部１０７に接続されている場合の一例を示す。
【００４２】
図７において、時間Ｔ０からＴ１の間は、接続部１０７に電池パック３０１が接続され、第２の接続部１１１に外部装置が接続されていない。この場合、給電制御部６０１は、電池パック３０１からの供給電力を電源制御部２１０に供給するため、出力電圧は電池パック３０１の電圧と等しくなる。時間Ｔ１からＴ２の間は、接続部１０７に電池パック３０１が接続され、第２の接続部１１１に外部装置が接続されており、それぞれからの電力供給を受けている。給電制御部６０１は、外部装置からの供給電力を電力供給装置１０６から供給される電力に優先して電源制御部２１０に供給するため、出力電圧は給電制御部６０１に構成されているレギュレータ出力の電圧になる。
【００４３】
放電時間Ｔ２からＴ３の間は、電池パック３０１が接続部１０７に接続され、外部装置が第２の接続部１１１に接続されている。しかし、システム制御部２０７は、給電制御部６０１に対し、外部装置からの給電電力を電源制御部２１０に供給しない指示を出している。したがって、給電制御部６０１は、電池パック３０１からの供給電力を電源制御部２１０に供給するため、出力電圧は電池パック３０１の電圧と等しくなる。
【００４４】
放電時間Ｔ３からＴ４の間は、電池パック３０１が接続部１０７に接続され、外部装置が第２の接続部１１１に接続されている。したがって、給電制御部６０１は、外部装置からの供給電力を電源制御部２１０に供給するため、出力電圧は給電制御部６０１に構成されているレギュレータ出力の電圧になる。
【００４５】
放電時間Ｔ４からＴ５の間は、接続部１０７に電池パック３０１が接続され、第２の接続部１１１に外部装置が接続され、給電制御部６０１は、外部装置からの供給電力を電力供給装置１０６から供給される電力に優先して電源制御部２１０に供給している。しかしながら、ＵＳＢケーブルなどを介して第２の接続部１１１に接続されている外部装置には、電力供給能力に上限があり、電源制御部２１０がその上限値以上の電力を必要としているとする。この場合、給電制御部６０１は、外部装置からの供給電力と電池パック３０１からの供給電力とを電源制御部２１０に供給するため、出力電圧は電池パック３０１の電圧と等しくなる。
【００４６】
図８は、実施形態２における電子機器１００で行われる第２の電池認証処理の一例を示すフローチャートである。第２の電池認証処理は、電力供給装置１０６が接続部１０７に接続され、外部装置が第２の接続部１１１に接続されている場合に、電源スイッチ１０５がオン状態にされた場合に開始される。図８において、実施形態１における第１の電池認証処理に含まれる処理（図５参照）と同様の処理については、実施形態１と同一の参照番号が付されている。
【００４７】
図８において、システム制御部２０７は、電池認証の履歴情報が履歴情報記憶部２１４に記憶されていない場合（Ｓ５０３でＮＯ）、給電制御部６０１に対し、外部装置からの給電電力を電源制御部２１０に供給しないように指示する。指示を受けた給電制御部６０１は、電子機器１００内への、第２の接続部１１１を介して外部装置から供給された電力の供給を停止する（Ｓ８０１）。この状態で、システム制御部２０７は、電圧検出部２１２に対し、給電制御部６０１から給電される電圧を検出するよう指示する。指示を受けた電圧検出部２１２は、給電制御部６０１から給電される電圧を検出し（Ｓ８０２）、検出した電圧を電圧情報として電圧判定部２１３に知らせる。
【００４８】
通常、給電制御部６０１が、外部装置からの供給電力を電力供給装置１０６から供給される電力に優先して電源制御部２１０に供給すると、出力電圧は給電制御部６０１に構成されているレギュレータの出力電圧になる。そのため、給電制御部６０１の出力から、電力供給装置１０６から供給される電圧を示す電圧情報を取得することができない。そこで、上述のＳ８０１、Ｓ８０２のように、給電制御部６０１が外部装置からの給電電力を電源制御部２１０に供給しないようにする。これにより、第２の接続部１１１に外部装置が接続されていても、電圧検出部２１２は電力供給装置１０６から供給される電圧を検出することが可能である。
【００４９】
電力供給装置１０６から供給される電圧を検出した後、システム制御部２０７は、給電制御部６０１に対し、外部装置からの給電電力を電源制御部２１０に供給するように指示する。この指示を受けた給電制御部６０１は、外部装置から供給された電力の給電を開始し、外部装置からの供給電力を電力供給装置１０６から供給される電力に優先して電源制御部２１０に供給する（Ｓ８０３）。
【００５０】
なお、外部装置からの給電を必要としない場合、Ｓ８０３は、スキップしても構わない。さらに、実施形態２の電子機器１００では、第２の接続部１１１にケーブルを接続して、外部装置から供給される電力を受電する構成を説明したが、電磁場の共鳴等を利用して電力を無線で受電する構成でも構わない。
【００５１】
このように、電子機器１００においては、第２の接続部１１１を介して外部装置から電力供給を受ける場合でも、電力供給装置１０６の素性を適切に判定することができる。そして、電力供給装置１０６の素性を履歴情報記憶部２１４に記憶しおくことで、実施形態１と同様に、電子機器の安全性を維持しつつ、ユーザの利便性を向上することができる。
【００５２】
なお、実施形態１及び２では、接続部１０７に接続されている電力供給装置１０６が電池パック３０１であるかＡＣアダプタ３０５であるかを判定するために電力供給装置１０６から供給される電圧を基準電圧と比較したが、これに限られるものではない。例えば、電池パック３０１に特定の構造を付加しておき、これを検出することで、接続部１０７に接続されている電力供給装置１０６が電池パック３０１かＡＣアダプタ３０５かを判定するなどの方法を用いてもよい。
【００５３】
さらに、実施形態１及び２の構成では、電子機器１００が電池パック３０１及びＡＣアダプタ３０５のいずれでも接続可能としているが、電子機器１００は電池パック３０１は接続できるがＡＣアダプタ３０５は接続できない電子機器であってもよい。この場合でも、一度使用を許可した電池パックに関しては、電源スイッチ１０５がオン状態にされるたびに使用を続行するかどうかを問い合わせることがなくなり、利便性が向上する。さらに、その場合、実施形態１のＳ５０５〜Ｓ５０６における処理は省略可能であり、実施形態２のＳ８０１〜Ｓ８０３及びＳ５０６における処理も省略可能である。
【００５４】
さらに、実施形態１及び２では、履歴情報が履歴情報記憶部２１４に格納されている場合に電池認証を実行しないようにしているが、履歴情報が履歴情報記憶部２１４に記憶されている場合にも電池認証が実行されるようにしてもよい。ユーザの利便性の観点からすれば、電池認証が実行されても、履歴情報が履歴情報記憶部２１４に記憶されている場合にユーザへの問い合わせ（Ｓ５０９〜Ｓ５１１、Ｓ５１３〜Ｓ５１４）が実行されないようにすればよいからである。
【００５５】
［実施形態３］
実施形態１及び２で説明した様々な機能、処理及び方法は、パーソナルコンピュータ、マイクロコンピュータ、ＣＰＵ（Ｃｅｎｔｒａｌ  Ｐｒｏｃｅｓｓｉｎｇ  Ｕｎｉｔ）などがプログラムを用いて実現することもできる。以下、実施形態３では、パーソナルコンピュータ、マイクロコンピュータ、ＣＰＵなどを「コンピュータＸ」と呼ぶ。さらに、実施形態３では、コンピュータＸを制御するためのプログラムであって、実施形態１及び２で説明した様々な機能、処理及び方法を実現するためのプログラムを「プログラムＹ」と呼ぶ。
【００５６】
実施形態１及び２で説明した様々な機能、処理及び方法は、コンピュータＸがプログラムＹを実行することによって実現される。この場合において、プログラムＹは、コンピュータ読み取り可能な記憶媒体を介してコンピュータＸに供給される。実施形態３におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも一つを含む。実施形態３におけるコンピュータ読み取り可能な記憶媒体は、ｎｏｎ−ｔｒａｎｓｉｔｏｒｙな記憶媒体である。
【符号の説明】
【００５７】
１００：電子機器、２０７：システム制御部、２０８：第１のメモリ、２０９：第２のメモリ、２１０：電源制御部、２１１：電池認証部、２１２：電圧検出部、２１３：電圧判定部、２１４：履歴情報記憶部、６０１：給電制御部
【図１Ａ】
0006643035.tif 000002
【図１Ｂ】
0006643035.tif 000003
【図２】
0006643035.tif 000004
【図３】
0006643035.tif 000005
【図４】
0006643035.tif 000006
【図５】
0006643035.tif 000007
【図６】
0006643035.tif 000008
【図７】
0006643035.tif 000009
【図８】
0006643035.tif 000010